(57)【特許請求の範囲】
【請求項１】
盤面に対して垂直に設置された複数本の幹線バーを備えたプラグイン式分電盤に用いられる端子台であって、複数の幹線バーを跨ぐ方向に延びる端子台本体の下側に、各幹線バーに嵌め込まれる受け金具を複数設けるとともに、端子台本体の上部には各受け金具に接続された電線接続部を形成し、かつ端子台本体がベースとカバーとからなり、受け金具が取付けられた電線接続部がこれらの間にはさんで固定されたことを特徴とするプラグイン式分電盤用の端子台。
【請求項２】
電線接続部を幹線バーの長手方向に突出させて形成したことを特徴とする請求項１記載のプラグイン式分電盤用の端子台。
【発明の詳細な説明】
【技術分野】
【０００１】
本発明は、幹線バーにブレーカがプラグイン接続されるプラグイン式分電盤用の端子台に関するものである。
【背景技術】
【０００２】
特許文献１に開示されているように、盤面に対して垂直に設置された複数本の幹線バーを備え、これらの幹線バーにブレーカを抜き差しして容易に着脱することができる構造のプラグイン式分電盤は、ブレーカの増設や取り外しが容易で施工性に優れているため、広く用いられている。このようなプラグイン式分電盤の幹線バーの端部には、幹線バーを安定保持するための絶縁材料からなるバーホルダが設けられている。
【０００３】
一般に分電盤では、幹線バーの端部に電線を接続し、分岐ブレーカ以外の他の機器に電源を供給する「電源送り」が行なわれることがある。そのため、プラグイン式分電盤においては幹線バーの端部をバーホルダから突出させて穴を形成し、この孔の部分に端子を取り付けて「電源送り」を行っていた。しかし「電源送り」が不要である場合には安全のためにこの突出部を切断することが好ましく、そのために余分な切断作業が必要となったり、余分な銅バーの切断片が発生するという問題があった。
【０００４】
また、端子台を用いた「電源送り」を「端子送り」と呼ぶが、プラグイン式分電盤においてこの「端子送り」を行おうとすると、端子台を幹線バーに装着する必要があるためにその分の取り付けスペースが必要となり、ブレーカの取り付けスペースが減少するなどの問題があった。
【先行技術文献】
【特許文献】
【０００５】
【特許文献１】特許第４４４２８５３号公報
【発明の開示】
【発明が解決しようとする課題】
【０００６】
従って本発明の目的は上記した従来の問題点を解決し、バーホルダから幹線バーの端部を露出させる必要がなく、ブレーカの取り付けスペースが減少することもなくプラグイン式分電盤の「端子送り」を行うことができる手段を提供することである。
【課題を解決するための手段】
【０００７】
本発明者らは上記の課題を解決するために検討を重ねた結果、従来は単に幹線バーを保持していただけのバーホルダに端子台の機能を組み込めば、上記の課題を一挙に解消できることに思い至り、本発明を完成した。この知見に基づいて完成された本発明は、盤面に対して垂直に設置された複数本の幹線バーを備えたプラグイン式分電盤に用いられる端子台であって、複数の幹線バーを跨ぐ方向に延びる端子台本体の下側に、各幹線バーに嵌め込まれる受け金具を複数設けるとともに、端子台本体の上部には各受け金具に接続された電線接続部を形成し、かつ端子台本体がベースとカバーとからなり、受け金具が取付けられた電線接続部がこれらの間にはさんで固定されたことを特徴とするものである。
【０００８】
なお請求項２のように、電線接続部を幹線バーの長手方向に突出させて形成した構造とすることが好ましい。
【発明の効果】
【０００９】
本発明によれば、バーホルダを端子台として使用することができるので、端子送りのためにブレーカの取り付けスペースが減少することもないことはもちろん、従来のように幹線バーの端部をバーホルダから露出させて穴を形成したり、不要な場合に端部を切断するなどの無駄を一掃することができる。また受け金具を用いて幹線バーと接続する構造としたので斜め刺しがなくなり、ねじ止め構造の場合のような導通不良を招くこともない。
【００１０】
また請求項２のように、電線接続部を幹線バーの長手方向に突出させて形成した構造とすれば、電線の接続が容易になるうえ、大型の圧着端子による接続を行ってもブレーカの取り付けスペースに覆い被さることがない。
【図面の簡単な説明】
【００１１】
【図１】本発明の端子台が装着された幹線ユニットの全体斜視図である。
【図２】本発明の端子台を分離した幹線ユニットの全体斜視図である。
【図３】本発明の端子台の斜視図である。
【図４】本発明の端子台の分解斜視図である。
【図５】要部の断面図である。
【図６】要部の切断斜視図である。
【発明を実施するための形態】
【００１２】
以下に本発明の好ましい実施形態を示す。
図１、図２において、１は断面がコ字状の左右一対の取付レールであり、開口部分を内側として取付ベース２の上に配置されている。これらの取付レール１、１の間には、支持台３によって３相の幹線バー４が盤面（図１では底面）に対して垂直に配置されている。
【００１３】
この実施形態では、取付レール１の上面はプラグインアダプタ５の取付面となっている。このプラグインアダプタ５は前記した特許文献１に詳細に説明されているように、下面に幹線バー４に嵌合させる受け金具を備え、それらから延びる電極バーを上面に配置された分岐ブレーカ６の電源端子と接続する構造のものである。このようなプラグインアダプタ５を用いればプラグインタイプではないブレーカをプラグイン式分電盤に用いることができるが、本発明においてはこのプラグインアダプタ５は必須のものではなく、下面に受け金具を備えたプラグインタイプのブレーカを、直接幹線バー４にプラグイン結合してもよいことはいうまでもない。
【００１４】
これらの幹線バー４は下端部を支持台３によって支持されているが、上端部はプラグイン結合が可能なように解放されたままである。このため長手方向の両端部には絶縁材料からなる端子台本体１０が嵌め込まれて幹線バー４の上端部を保持している。従来のバーホルダは単に幹線バー４を絶縁支持するための部材であるが、本発明では以下に説明するように端子送りの機能を持たせてある。
【００１５】
図３は本発明の端子台の全体斜視図、図４はその分解斜視図である。この実施形態では、端子台本体１０は絶縁材料製のベース１１とカバー１２とから構成されている。端子台本体１０は複数の幹線バー４を跨ぐ方向に延びるもので、ベース１１の下部には各幹線バー４の上端部が嵌合される３つの凹部１３が形成され、幹線バー４の安定支持を行なっている。またこれらの凹部１３に対応する位置に、各幹線バー４に嵌め込まれる３つの受け金具１４が設けられている。
【００１６】
これらの受け金具１４は上部が広く、下部が狭くなるように屈曲された金属板であり、最下端部はやや外側に拡がって幹線バー４の上端部に差し込み易いようになっている。図４に明示されているように、受け金具１４の平らになった上面には平板状の電線接続部１５が設けられている。この電線接続部１５には複数の孔部１６が形成されており、比較的大径の孔部１６ａには受け金具１４の上面を貫通するボルト１７が螺合され、電線接続部１５を受け金具１４に固定するとともに両者間を電気的に接続している。このように、端子台本体１０の上部に電線接続部１５を設けることにより、従来の構造では端子台本体１０は幹線バー４を絶縁支持や取付レール１，１間の保持のための部材であったものを端子送りとして使用することができるために、プラグインアダプタ５やプラグインタイプのブレーカの取り付けスペースが減少することなく使用することが可能となるものである。
【００１７】
この電線接続部１５は幹線バー４の長手方向に突出するように、ベース１１の張出し部１８に形成されており、また幹線バー４の幅方向に十分な横幅を持たせておく。このベース１１の張出し部１８にはナット１９を保持するナット孔２０が形成されており、図３に示すように太い電線２１を電線接続部１５の孔部１６ｄを利用してボルト２２で締結することができる。また細い電線２３も比較的小径の孔部１６ｂを利用して締結可能である。このように電線接続部１５を幹線バー４の長手方向に突出させておけば、電線２１や電線２３を幹線バー４の端部方向から接続することができ、従来のように電線を捻りながら幹線バー４と直角方向から引き込んで接続する必要がなくなる。なお、ナット１９が保持された部分にスタッドボルトを立ておき、電線をナットで締結するようにしてもよい。
【００１８】
図４に示すように、ベース１１の上部にはカバー１２の収納部が形成されており、この収納部にベース１１よりも幅狭のカバー１２が上方から差し込まれる。カバー１２の左右両端には下向きの弾性係止爪２４が形成され、ベース１１にはこの弾性係止爪２４を受ける係止部２５が形成されている。このため、カバー１２を確実にベース１１に嵌め込んで固定することができる。また、図５に示すようにカバー１２の下面には突起２６が突設されており、カバー１２をベース１１に嵌め込んだときに電線接続部１５の孔１６ｃに嵌合されるようにしておく。これによって受け金具１４が取付けられた電線接続部１５はベース１１とカバー１２との間にはさんで固定されることとなる。
【００１９】
このように電線接続部１５はベース１１とカバー１２との間にはさんで固定され、電線接続部１５と受け金具１４とはボルト１７で締結されているが、これらの金属部分はベース１１とカバー１２とからなるバーホルダ本体１０に、ねじ止めされたものではない。このため受け金具１４は端子台本体１０に対して余裕があり、幹線バー４への差込動作に無理が生ずることがないから、斜め入りが生じにくい。この結果、導通不良を防止することができる。しかもねじ止め作業が不要であるから、組立作業工程を少なくすることができる。
【００２０】
図３に示されるように、ベース１１の両端部には取付レール固定孔２７が形成されており、図１に示すように端子台本体１０を取付レール１、１の上面にねじ止め固定する。またベース１１の両端部が取付レール１、１の内側面に当接し、取付レール１、１の変形を防止する役割も兼ねている。なお、図３に示すようにベース１１とカバー１２に縦溝２８を形成しておき、絶縁バリア板（図示せず）を取付けることができるようにしておけば、相間の絶縁を確保するうえで有利である。
【００２１】
このように構成された本発明のバーホルダは、従来のバーホルダと同様に幹線バー４の上端面を安定に保持することができるのみならず、それ自体に端子送りの機能を備えたものであるから、端子送りのための新たな端子台を必要とせず、ブレーカの取り付けスペースを減少させることがない。また従来のように幹線バー４の端部をバーホルダから露出させて電源送りの穴を形成する必要がなく、従って幹線バー４の不要な端部を切断するなどの無駄を一掃することができるなどの利点がある。
【符号の説明】
【００２２】
１  取付レール
２  取付ベース
３  支持台
４  幹線バー
５  プラグインアダプタ
６  分岐ブレーカ
１０  端子台本体
１１  ベース
１２  カバー
１３  凹部
１４  受け金具
１５  電線接続部
１６  孔部
１７  ボルト
１８  張出し部
１９  ナット
２０  ナット孔
２１  電線
２２  ボルト
２３  電線
２４  弾性係止爪
２５  係止部
２６  突起
２７  取付レール固定孔
２８  縦溝
【図１】
0005671709.tif 000002
【図２】
0005671709.tif 000003
【図３】
0005671709.tif 000004
【図４】
0005671709.tif 000005
【図５】
0005671709.tif 000006
【図６】
0005671709.tif 000007